(57)【要約】【課題】アカウント・アグリケーションサービスを利用して、ユーザが保持する複数機関のポイント情報を視覚的に容易に把握することができる情報提供装置及び情報提供プログラムを提供する。【解決手段】情報提供サーバ１０は、利用者３が利用可能な各サイト２にログインするためのそれぞれのアカウント情報を記憶する認証情報記憶部１１と、アカウント情報に従って、各サイトからポイント情報をそれぞれ取得するスクレイピング処理部１２と、取得したそれぞれのポイント情報を記憶するポイント情報記憶部１３と、取得したそれぞれのポイント情報から一覧表示形式のポイント一覧画面を作成し、作成されたポイント一覧画面を利用者端末５に表示する全体制御部１４を備える。【選択図】図１
2009223488.tif 000002
【特許請求の範囲】
【請求項１】
通信ネットワークを介して利用者端末に、複数の機関が提供するポイントサービスそれぞれのポイント情報を一覧表示にして提供する情報提供装置であって、
利用者が利用可能な前記複数の機関の各サイトにログインするためのそれぞれのアカウント情報を記憶する認証情報記憶手段と、
前記認証情報記憶手段に記憶されたアカウント情報に従って、前記各サイトからポイント情報をそれぞれ取得するポイント情報収集手段と、
前記ポイント情報収集手段により取得されたそれぞれのポイント情報を記憶するポイント情報記憶手段と、
前記ポイント情報記憶手段に記憶されたそれぞれのポイント情報から、一覧表示形式のポイント一覧画面を作成するポイント一覧作成手段と、
前記ポイント一覧作成手段で作成されたポイント一覧画面を前記利用者端末に表示するポイント一覧表示手段と、
を備えることを特徴とする情報提供装置。
【請求項２】
前記複数の機関においてポイント交換可能な機関をそれぞれ対応付けて記憶しているとともに、対応づけられたそれぞれの機関間のポイント換算情報を記憶しているポイント換算情報記憶手段をさらに備え、
前記ポイント一覧表示手段は、
前記複数の機関ごとに立体形状のアイコンをそれぞれ表示し、前記アイコンの正面に前記ポイント情報を表示するとともに、前記アイコンを回転可能に制御し、前記アイコンの他面には当該機関から他の機関へのポイント交換を指示するための交換アイコン、及び他の機関から当該機関へのポイント集約を指示するための集約アイコンを表示していることを特徴とする請求項１記載の情報提供装置。
【請求項３】
前記交換アイコンを操作した場合には、前記ポイント情報記憶手段から、選択された機関に関わるポイント情報を取得するとともに、前記ポイント換算情報記憶手段から、選択された機関とポイント交換可能な機関及びポイント換算情報、並びに前記ポイント情報記憶手段から、ポイント交換可能な機関に関わるポイント情報を取得し、選択された機関のポイントを、選択された機関からポイント交換可能な他の機関にポイントを交換したときの交換先のポイントそれぞれを計算するポイント交換計算手段をさらに備え、
前記ポイント一覧表示手段は、
前記ポイント交換計算手段で取得したポイント交換可能な機関、及び計算したポイントに基づいて、選択された機関のアイコンと、交換先の機関の各アイコンとを関連づけて表示するとともに、各交換先の機関のアイコン上に、選択された機関のポイントが加算された場合の、当該交換先の機関におけるポイントを表示することを特徴とする請求項２記載の情報提供装置。
【請求項４】
前記集約アイコンを操作した場合には、前記ポイント情報記憶手段から、選択された機関に関わるポイント情報を取得するとともに、前記ポイント換算情報記憶手段から、選択された機関にポイント集約可能な機関及びポイント換算情報、並びに前記ポイント情報記憶手段から、ポイント集約可能な機関に関わるポイント情報を取得し、ポイント集約可能な他の機関それぞれから、選択された機関にポイントを集約したときのポイントをそれぞれ計算するポイント集約計算手段をさらに備え、
前記ポイント一覧表示手段は、
前記ポイント集約計算手段で取得したポイント集約可能な機関、及び計算したポイントに基づいて、選択された機関のアイコンと、集約元の機関の各アイコンとを関連づけて表示するとともに、選択された機関のアイコン上に、集約元の機関の各アイコンのポイントが加算された場合の、集約先の機関におけるポイントを表示することを特徴とする請求項２又は３記載の情報提供装置。
【請求項５】
前記ポイント一覧画面は、
予め定められた１又は複数の主要機関にポイント集約するための主要機関集約アイコンを表示し、
前記主要機関集約アイコンを操作した場合には、前記ポイント換算情報記憶手段から、前記主要機関にポイント集約可能な機関及びポイント換算情報、並びに前記ポイント情報記憶手段から、前記主要機関にポイント集約可能な機関に関わるポイント情報を取得し、ポイント集約可能な機関それぞれから、前記主要機関にポイントを集約したときのポイントをそれぞれ計算する主要機関ポイント集約計算手段さらに備え、
前記ポイント一覧表示手段は、
前記主要機関ポイント集約計算手段で取得したポイント集約可能な機関、及び計算したポイントに基づいて、前記主要機関のアイコンと、集約元の機関の各アイコンとを関連づけて表示するとともに、前記主要機関のアイコン上に、集約元の機関の各アイコンのポイントが累計加算された場合の、集約先の機関におけるポイントを表示することを特徴とする請求項２乃至４のいずれか１項に記載の情報提供装置。
【請求項６】
通信ネットワークを介して利用者端末に、複数の機関が提供するポイントサービスそれぞれのポイント情報を一覧表示にして提供するコンピュータが読み取り可能な情報提供プログラムであって、
前記コンピュータを、
利用者が利用可能な前記複数の機関の各サイトにログインするためのそれぞれのアカウント情報を記憶する認証情報記憶手段と、
前記認証情報記憶手段に記憶されたアカウント情報に従って、前記各サイトからポイント情報をそれぞれ取得するポイント情報収集手段と、
前記ポイント情報収集手段により取得されたそれぞれのポイント情報を記憶するポイント情報記憶手段と、
前記ポイント情報記憶手段に記憶されたそれぞれのポイント情報を、一覧表示形式のポイント一覧画面を作成するポイント一覧作成手段と、
前記ポイント一覧作成手段で作成されたポイント一覧画面を前記利用者端末に表示するポイント一覧表示手段と、
して機能させることを特徴とする情報提供プログラム。
【発明の詳細な説明】
【技術分野】
【０００１】
本発明は、通信ネットワークを介して情報を提供する情報提供装置及び情報提供プログラムに関し、特に、アカウント・アグリケーションを利用して、情報を提供する情報提供装置及び情報提供プログラムに関する。
【背景技術】
【０００２】
インターネット上の様々なウェブサイトから当該利用者の複数の口座情報を集めて、当該複数の口座情報を利用者端末に閲覧可能に表示するサービス、すなわち、アカウント・アグリケーションサービスが実現している。個人が複数の金融機関と取引を行っている場合には、従来においては、金融機関ごとにＩＤ、パスワードを保有・管理し、アクセスするたびに入力が求められるという煩雑さがあったが、このアカウント・アグリケーションサービスの実現により、この煩雑さが解消され、ユーザの利便性を向上させている。
【０００３】
ところで、従来から、顧客の購買意欲を喚起するため、商品若しくはサービス（以下、商品等と称する）の購入時にポイントを付与し、次回以降の商品等の購入時にこのポイントを利用して、決済金額の割引や商品等との交換といった特典を享受できるポイントサービスが知られている。
【０００４】
このようなポイントサービスは、商店や企業別に独自に設けているのが普通であるが、異なる商店や企業間でポイント交換を行うことが可能であり、ある企業から付与されたポイントを別の企業のポイントに交換し、別の企業が提供する商品等を購入する際に利用することができる。
【０００５】
なお、アカウント・アグリケーションに関する技術に関しては、以下の特許文献１、２が存在し、また、ポイント交換に関する技術に関しては、以下の特許文献３が存在する。
【０００６】
【特許文献１】特開２００２−２８８１２８号公報
【特許文献２】特開２００４−２３４２３９号公報
【特許文献３】特開２００４−２８０７６０号公報
【発明の開示】
【発明が解決しようとする課題】
【０００７】
昨今においては、ユーザは、複数の商店や企業が発行する複数種類のポイントを保有しているのが一般的であるため、上述したアカウント・アグリケーションサービスを利用して、複数種類のポイント情報を一元的に管理できれば、ユーザはポイント情報の全体像を容易に把握することができることになる。
【０００８】
本発明は上記の事情を鑑みたものであり、アカウント・アグリケーションサービスを利用して、ユーザが保有する複数機関のポイント情報を視覚的に容易に把握することができる情報提供装置及び情報提供プログラムを提供することを目的とする。
【課題を解決するための手段】
【０００９】
上記目的を達成するため、請求項１記載の本発明は、通信ネットワークを介して利用者端末に、複数の機関が提供するポイントサービスそれぞれのポイント情報を一覧表示にして提供する情報提供装置であって、利用者が利用可能な前記複数の機関の各サイトにログインするためのそれぞれのアカウント情報を記憶する認証情報記憶手段と、前記認証情報記憶手段に記憶されたアカウント情報に従って、前記各サイトからポイント情報をそれぞれ取得するポイント情報収集手段と、前記ポイント情報収集手段により取得されたそれぞれのポイント情報を記憶するポイント情報記憶手段と、前記ポイント情報記憶手段に記憶されたそれぞれのポイント情報から、一覧表示形式のポイント一覧画面を作成するポイント一覧作成手段と、前記ポイント一覧作成手段で作成されたポイント一覧画面を前記利用者端末に表示するポイント一覧表示手段と、を備えることを特徴とする。
【００１０】
また、請求項２記載の本発明は、請求項１記載の発明において、前記複数の機関においてポイント交換可能な機関をそれぞれ対応付けて記憶しているとともに、対応づけられたそれぞれの機関間のポイント換算情報を記憶しているポイント換算情報記憶手段をさらに備え、前記ポイント一覧表示手段は、前記複数の機関ごとに立体形状のアイコンをそれぞれ表示し、前記アイコンの正面に前記ポイント情報を表示するとともに、前記アイコンを回転可能に制御し、前記アイコンの他面には当該機関から他の機関へのポイント交換を指示するための交換アイコン、及び他の機関から当該機関へのポイント集約を指示するための集約アイコンを表示していることを特徴とする。
【００１１】
また、請求項３記載の本発明は、請求項２記載の発明において、前記交換アイコンを操作した場合には、前記ポイント情報記憶手段から、選択された機関に関わるポイント情報を取得するとともに、前記ポイント換算情報記憶手段から、選択された機関とポイント交換可能な機関及びポイント換算情報、並びに前記ポイント情報記憶手段から、ポイント交換可能な機関に関わるポイント情報を取得し、選択された機関のポイントを、選択された機関からポイント交換可能な他の機関にポイントを交換したときの交換先のポイントそれぞれを計算するポイント交換計算手段をさらに備え、前記ポイント一覧表示手段は、前記ポイント交換計算手段で取得したポイント交換可能な機関、及び計算したポイントに基づいて、選択された機関のアイコンと、交換先の機関の各アイコンとを関連づけて表示するとともに、各交換先の機関のアイコン上に、選択された機関のポイントが加算された場合の、当該交換先の機関におけるポイントを表示することを特徴とする。
【００１２】
また、請求項４記載の本発明は、請求項２又は３記載の発明において、前記集約アイコンを操作した場合には、前記ポイント情報記憶手段から、選択された機関に関わるポイント情報を取得するとともに、前記ポイント換算情報記憶手段から、選択された機関にポイント集約可能な機関及びポイント換算情報、並びに前記ポイント情報記憶手段から、ポイント集約可能な機関に関わるポイント情報を取得し、ポイント集約可能な他の機関それぞれから、選択された機関にポイントを集約したときのポイントをそれぞれ計算するポイント集約計算手段をさらに備え、前記ポイント一覧表示手段は、前記ポイント集約計算手段で取得したポイント集約可能な機関、及び計算したポイントに基づいて、選択された機関のアイコンと、集約元の機関の各アイコンとを関連づけて表示するとともに、選択された機関のアイコン上に、集約元の機関の各アイコンのポイントが加算された場合の、集約先の機関におけるポイントを表示することを特徴とする。
【００１３】
また、請求項５記載の本発明は、請求項２乃至４のいずれか１項に記載の発明において、前記ポイント一覧画面は、予め定められた１又は複数の主要機関にポイント集約するための主要機関集約アイコンを表示し、前記主要機関集約アイコンを操作した場合には、前記ポイント換算情報記憶手段から、前記主要機関にポイント集約可能な機関及びポイント換算情報、並びに前記ポイント情報記憶手段から、前記主要機関にポイント集約可能な機関に関わるポイント情報を取得し、ポイント集約可能な機関それぞれから、前記主要機関にポイントを集約したときのポイントをそれぞれ計算する主要機関ポイント集約計算手段さらに備え、前記ポイント一覧表示手段は、前記主要機関ポイント集約計算手段で取得したポイント集約可能な機関、及び計算したポイントに基づいて、前記主要機関のアイコンと、集約元の機関の各アイコンとを関連づけて表示するとともに、前記主要機関のアイコン上に、集約元の機関の各アイコンのポイントが累計加算された場合の、集約先の機関におけるポイントを表示することを特徴とする。
【００１４】
また、請求項６記載の本発明は、通信ネットワークを介して利用者端末に、複数の機関が提供するポイントサービスそれぞれのポイント情報を一覧表示にして提供するコンピュータが読み取り可能な情報提供プログラムであって、前記コンピュータを、利用者が利用可能な前記複数の機関の各サイトにログインするためのそれぞれのアカウント情報を記憶する認証情報記憶手段と、前記認証情報記憶手段に記憶されたアカウント情報に従って、前記各サイトからポイント情報をそれぞれ取得するポイント情報収集手段と、前記ポイント情報収集手段により取得されたそれぞれのポイント情報を記憶するポイント情報記憶手段と、前記ポイント情報記憶手段に記憶されたそれぞれのポイント情報を、一覧表示形式のポイント一覧画面を作成するポイント一覧作成手段と、前記ポイント一覧作成手段で作成されたポイント一覧画面を前記利用者端末に表示するポイント一覧表示手段と、して機能させることを特徴とする。
【発明の効果】
【００１５】
本発明によれば、アカウント・アグリケーションサービスを利用して、ユーザが保有する複数機関のポイント情報を視覚的に容易に把握することができる。
【発明を実施するための最良の形態】
【００１６】
以下、本発明の実施の形態を図面を用いて説明する。
【００１７】
図１は、本発明の実施の形態に係る情報提供システム１００の概略構成図である。情報提供システム１００は、情報提供サイト１が、アカウント・アグリケーションを利用して、利用者３が閲覧できる自分のポイント情報（各商店や各企業が提供しているポイントサービスのポイント情報）を各サイト群２から取得して、取得したポイント情報を一覧形式に編集し、編集したポイント一覧情報を利用者３に提供するシステムである。以下、情報提供サイト１がポイント情報を利用者３に提供するこのサービスをポイント一覧提供サービスとも称する。情報提供システム１００は、ポイント一覧情報を利用者３に提供する情報提供サーバ１０、利用者３が用いる利用者端末５、並びに情報提供サーバ１０、利用者端末５及びサイト群２をそれぞれ相互に通信可能とする、例えば、インターネット網などからなる通信ネットワーク４を備える構成である。
【００１８】
情報提供サーバ１０は、認証情報記憶部１１、スクレイピング処理部１２、ポイント情報記憶部１３、ポイント交換情報記憶部１４、全体制御部１５、及び送受信制御部１６を備えている。
【００１９】
認証情報記憶部１１は、利用者３がポイントサービスを受けている各サイト２のアカウント情報を認証情報ｄ１０として記憶している。図２（ａ）に認証情報ｄ１０のデータ構成の一例を示す。図２（ａ）に示すように、認証情報ｄ１０は、ポイント一覧提供サービスを利用するための利用者ＩＤ及びパスワードと、利用者３が利用可能な各サイトのＩＤ及びパスワードと、対応付けたデータとして構成されている。なお、認証情報ｄ１０は、利用者３の属性情報や、各サイト２にアクセスするためのアクセス情報（ＵＲＬ情報、スクレイピング対象となる個人情報）なども備えている。利用者３が各サイト２から発行されたＩＤ及びパスワードを情報提供サーバ１０に通知することにより、認証情報ｄ１０が作成されることとなる。
【００２０】
スクレイピング処理部１２は、認証情報記憶部１１に記憶された認証情報ｄ１１を用いて、定期的に各サイト２にアクセスし、必要なポイント情報を取得するようになっている。ここで、ポイント情報とは、少なくとも、現在のポイント数を含んだ情報である。また、スクレイピング処理部１３は、取得したポイント情報をポイント情報ｄ２０としてポイント情報記憶部１３に記憶するようになっている。図２（ｂ）にポイント情報ｄ２０のデータ構成の一例を示す。図２（ｂ）に示すように、ポイント情報ｄ２０は、利用者ＩＤと、各サイトから収集したポイント情報（サイト別ポイント情報ともいう）で構成されており、利用者３が閲覧可能なサイト２のポイント情報はすべてサイト別ポイント情報として、ポイント情報記憶部１３に蓄積される。なお、後述するが、ポイント情報記憶部１３には、スクレイピング処理部１２によって取得されたサイト別ポイント情報だけでなく、利用者３が自ら手動で登録したサイトのポイント情報も記憶される。
【００２１】
ポイント交換情報記憶部１４は、複数のポイントサービスの提供会社（以下、ポイント会社という）の中でポイント交換が可能なポイント会社を関連付ける情報である。図２（ｃ）にポイント交換情報ｄ３０のデータ構成の一例を示す。図２（ｃ）に示すように、ポイント交換情報ｄ３０は、ポイント交換可能なポイント会社を関連付けて記憶するともに、ポイント会社間の交換率などのポイント換算情報や備考情報を記憶するようになっている。例えば、図２（ｃ）に示すポイント交換情報ｄ３０は、ポイント会社Ａはポイント会社Ｘ、ポイント会社Ｙ、及びポイント会社Ｚとポイント交換が可能であることを示すとともに、ポイント会社Ａとポイント会社Ｘの交換に関するポイント換算情報には、ポイント会社Ａからポイント会社Ｘにポイント交換するときの交換率及びポイント会社Ｘからポイント会社Ａにポイント交換するときの交換率などが記憶されている。また、備考情報には、ポイント換算するときの注意事項（ポイント有効期限や最低交換ポイントなどの情報）が記憶されている。
【００２２】
全体制御部１５は、情報提供サーバ１０のすべての動作を統括的に制御している。具体的には、ＣＰＵ及びメモリ等から構成され、認証情報記憶部１１、ポイント情報記憶部１３及びポイント交換情報記憶部１４の制御や、各種データの転送、種々の演算、データの一時的な格納等を行うことにより、後述する各種処理を実行させるようになっている。例えば、ポイント一覧情報表示ｆ１に基づいて、後述するポイント一覧表示処理を実行したり、ポイント試算機能ｆ２に基づいて、後述する交換可能ポイント会社検索処理や集約可能ポイント会社検索処理やポイントおまとめシミュレーション表示処理を実行するようになっている。
【００２３】
なお、本実施の形態に係る各種処理を実行するプログラムは、前述したメモリ（主記憶装置）やハードディスクなどの補助記憶装置に格納されているものである。そして、このプログラムは、ハードディスク、フレキシブルディスク、ＣＤ−ＲＯＭ、ＭＯ、ＤＶＤ−ＲＯＭなどのコンピュータ読み取り可能な記録媒体に記録することも、通信ネットワークを介して配信することも可能である。
【００２４】
送受信制御部１６は、通信ネットワーク４を介した利用者端末５とのデータ送受信を制御するようになっており、作成したポイント一覧情報や検索結果情報などを利用者端末５に送信したり、利用者端末５から操作指示情報を受信したりするようになっている。具体的には、利用者端末２ｉとＷｅｂや電子メールを活用した情報授受ができるようになっている。
【００２５】
なお、上述した情報提供サーバ１０は、物理的に一つからなる装置の他、複数の装置がネットワーク接続されたシステムなどのいずれの構成であってもよい。本実施形態では、具体的には、認証情報記憶部１１、ポイント情報記憶部１３及びポイント交換可能情報記憶部１４は、データベースサーバとして、送受信制御部１６はＷｅｂサーバとして、スクレイピング処理部１２はスクレイピング処理サーバとして、また、全体制御部１５は、アプリケーションサーバとして構築されている。また、ポイント情報を閲覧できるサイト群２と情報提供サイト１は別のサイトであってもよいし、ポイント情報を閲覧できるサイト群２の一つが情報提供サイト１として機能してもよい。
【００２６】
利用者端末５は、例えば、具体的には、ＰＣ（携帯情報端末、携帯電話端末などを含む）などが想定され、利用者端末５には、ブラウザソフト及び電子メールソフトがインストールされており、このブラウザ機能及び電子メール機能により、情報提供サーバ１０及びサイト群２と情報のやりとりを行うことができるようになっている。
【００２７】
＜動作＞
次に、図３〜図５を用いて、本実施の形態に係る情報提供システム１００の動作について説明する。ここで、図３は、スクレイピング処理、及びポイント一覧表示処理の流れを示すシーケンス図、図４は、交換可能ポイント会社検索処理、及び集約可能ポイント会社検索処理の流れを示すシーケンス図、図５は、ポイントおまとめシミュレーション処理の流れを示すシーケンス図である。
【００２８】
（スクレイピング処理）
まず、図３を参照して、スクレイピング処理について説明する。
【００２９】
情報提供サーバ１０は、認証情報記憶部１１に記憶された認証情報ｄ１０を参照して、利用者ＩＤごとに、各サイト２にアクセスするためのアクセス情報、並びにログインするためのＩＤ及びパスワードを取得し（ステップＳ１０）、各サイト２にアクセスして、ログインし（ステップＳ２０）、ポイント情報を取得する（ステップＳ３０）。
【００３０】
次いで、情報提供サーバ１０は、取得したポイント情報をポイント情報ｄ２０としてポイント情報記憶部１３に登録する（ステップＳ４０）。なお、スクレイピング処理は、定期的に実行されるのが望ましく、また、サイト２ごとにスクレイピング処理を実行する時間帯を個別に設けるようにしてもよい。
【００３１】
（ポイント一覧表示処理）
次に、図３を参照して、ポイント一覧表示処理について説明する。
【００３２】
利用者３が利用者端末５を用いて、情報提供サーバ１０にアクセスし、利用者ＩＤ及びパスワードを入力し、ログインする（ステップＳ５０）。情報提供サーバ１０は、利用者ＩＤ及びパスワードを受け取ると（ステップＳ６０）、利用者ＩＤに基づいてポイント情報記憶部１３を参照し、該当する利用者３のポイント情報ｄ２０を取得する（ステップＳ７０）。
【００３３】
次いで、情報提供サーバ１０は、取得したポイント情報ｄ２０を一覧表示形式に編集してポイント一覧情報を作成し（ステップＳ８０）、作成したポイント一覧情報を利用者端末５に出力する（ステップＳ９０）。
【００３４】
利用者端末５は、ポイント一覧情報を受け取ると、ポイント一覧表示画面を表示する（ステップＳ１００）。図６にポイント一覧表示画面を示す。
【００３５】
図６に示すポイント一覧表示画面２０は、利用者３が保有する、複数のポイント会社のポイントを一覧にして表示する画面であり、具体的には、複数のポイント会社それぞれに対して、正面にポイント会社の名称及びポイント数が表示された立方体形状のポイントアイコン２１を表示する画面となっている。この結果、利用者３は、自分が保有している複数のポイント会社のポイントを容易に把握することができる。
【００３６】
なお、ポイント一覧表示画面２０には、アカウント・アグリケーション機能を利用して取得したポイント情報を自動表示するポイントアイコン２１に加えて、手動で登録されたポイントアイコン２１も表示可能である。以後、アカウント・アグリケーション機能を利用して取得したポイント情報を自動表示するポイントアイコン２１をポイントアイコン２１Ａ（実際には外観は紺色で表示される）、手動で登録されたポイントアイコン２１をポイントアイコン２１Ｂ（実際には外観は白色または青色で表示される）と表記して説明する。また、両者を含めて説明するときは、ポイントアイコン２１と表記する。
【００３７】
また、ポイント一覧表示画面２０に表示されたポイントアイコン２１は、回転可能に構成されており、それぞれのアイコン２１の上方に表示されている矢印アイコン２８をクリックすることにより、対応するポイントアイコン２１が回転し、立方体の右側面が表示されるようになっている。図７は、ポイント一覧表示画面２０におけるポイントアイコン２１の動作を示すフローチャートである。
【００３８】
まず、情報提供サーバ１０は、ポイント一覧表示画面２０の初期画面を利用者端末５に表示する（ステップＳ１０１）。ここで、ポイント一覧表示画面２０の初期画面とは、正面にポイント会社の名称及びポイント数が表示されたポイントアイコン２１を表示した表示態様の画面をいう。
【００３９】
情報提供サーバ１０は、この状態で、利用者３が矢印アイコン２８をクリックしたか否かを判定し（ステップＳ１０２）、利用者３が矢印アイコン２８をクリックしたときは（ステップＳ１０２：ＹＥＳ）、指示されたポイントアイコン２１を回転させ、右側面を正面として表示する（ステップＳ１０４）。一方、利用者３が矢印アイコン２８をクリックしなかったときは（ステップＳ１０２：ＮＯ）、そのままの状態で静止したポイントアイコン２１を表示する（ステップＳ１０３）。
【００４０】
図８（ａ）は、ポイントアイコン２１Ａが回転したときの表示態様を示している。一番左のポイントアイコン２１Ａは初期画面の表示態様であり、上述したように、ポイント表示欄４１には利用者３が当該ポイント会社に保有するポイント数が表示される。中央のポイントアイコン２１Ａは、初期画面の表示態様において矢印アイコン２８をクリックしたときの表示態様（第２表示態様という）であり、正面には交換ボタン４２及び集約ボタン４３が表示される。交換ボタン４２をクリックしたときに実行される交換可能ポイント会社検索処理については、詳しくは後述するが、当該ポイントアイコン２１（ポイント会社）から交換可能な他のポイントアイコン２１（ポイント会社）へのポイント交換試算を行うようになっている。また、及び集約ボタン４３をクリックしたときに実行される集約可能ポイント会社検索処理についても、詳しくは後述するが、交換可能な他のポイントアイコン２１（ポイント会社）から当該ポイントアイコン２１（ポイント会社）へのポイント集約試算を行うようになっている。一番右のポイントアイコン２１Ａは、第２表示態様において矢印アイコン２８をクリックしたときの表示態様（第３表示態様という）であり、正面にはリンクボタン４４が表示される。なお、リンクボタン４４をクリックすると、ポイントアイコン２１Ａが示すポイント会社のサイトにオートログインするようになっている。
【００４１】
このように、本実施形態のポイントアイコンは、回転動作を伴うことによって、当該ポイントアイコン２１（ポイント会社）に関する複数の情報を表示可能としている。
【００４２】
図８（ｂ）及び（ｃ）は、手動で登録したポイントアイコン２１Ｂの表示態様を示している。詳しくは、図８（ｃ）は、ポイントを登録していない状態の表示態様（実際には外観は白色で表示される）を示しており、図８（ｂ）は、ポイントを登録した後の表示態様（実際には外観は青色で表示される）を示している。すなわち、図８（ｃ）に示す表示態様は、ポイント入力欄４５にポイント数を入力することにより、図８（ｂ）に示す表示態様に変化するようになっている。また、ポイント登録後のポイントアイコン２１Ｂにおいては、ポイントアイコン２１Ａに示した３つの表示態様に加えて、登録したポイント数をリセットするためのリセットボタン４６を表示する表示態様を備えている。
【００４３】
なお、ポイントを登録していない状態のポイントアイコン２１Ｂに関しては、かくすボタン２６（図６参照）をクリックすることにより、ポイント一覧表示画面２０に表示させないこともできる。なお、一旦、非表示したポイントアイコン２１Ｂを再びポイント一覧表示画面２０に表示させる場合には、戻すボタン２７（図６参照）をクリックすればよい。
【００４４】
さらには、本実施形態においては、ポイントアイコン２１の大きさを変えることが可能であり、アイコンサイズ変更２４欄（図６参照）の大中小ボタンを操作することにより、アイコンの大きさを大中小のいずれかに変更することができる。
【００４５】
（交換可能ポイント会社検索処理）
次に、図４を参照して、交換可能ポイント会社検索処理について説明する。
【００４６】
利用者３が利用者端末５において、ポイント一覧表示画面２０を表示している状態で、いずれか１つのポイントアイコン２１を選択し（具体的には、矢印アイコン２８をクリックし）、選択したポイントアイコン２１の交換ボタン４２をクリックすることにより、情報提供サーバ１０に対して、交換可能ポイント会社検索処理の指示を行う（ステップＳ１１０）。
【００４７】
交換可能ポイント会社検索処理の指示を受けた情報提供サーバ１０は、ポイント交換情報記憶部１５を参照することにより、選択されたポイントアイコン２１（ポイント会社）とポイント交換可能なポイントアイコン２１（ポイント会社）を抽出し（ステップＳ１２０）、選択されたポイントアイコン２１（ポイント会社）のポイント数を、抽出した各ポイントアイコン２１（ポイント会社）のそれぞれに移した場合の交換先のポイント数を計算する（ステップＳ１３０）。
【００４８】
次いで、情報提供サーバ１０は、抽出した交換先のポイントアイコン２１及び計算したポイント数に基づいて、検索表示画面情報を作成し（ステップＳ１４０）、作成した検索表示画面情報を利用者端末５に出力する（ステップＳ１５０）。
【００４９】
利用者端末５は、検索表示画面情報を受け取ると、交換可能ポイント会社検索表示画面を表示する（ステップＳ１６０）。図９に交換可能ポイント会社検索表示画面を示す。なお、図９においては、便宜的に、交換元のポイントアイコン（選択されたポイントアイコン）２１を２１Ｘ、交換先のポイントアイコン２１を２１Ｙ、その他のポイントアイコン（ポイント交換に関係しないポイントアイコン）２１を２１Ｚと表記している。実際には、上述した３種類のポイントアイコン２１Ｘ、２１Ｙ、２１Ｚは、異なる色で識別可能に表示される（例えば、ポイントアイコン２１Ｘは外観が紺色、ポイントアイコン２１Ｙは外観が赤色、ポイントアイコン２１Ｚは外観が白色など）。
【００５０】
図９に示す交換可能ポイント会社検索表示画面５０においては、ポイントアイコン２１Ｘから各ポイントアイコン２１Ｙに対して順次、矢印２９が表示される。加算前のポイント数をポイント表示欄４１に表示していたポイントアイコン２１Ｙは、矢印２９が表示されると、加算されるポイントを加算表示欄４６に表示するようになっている。例えば、具体的には、図９において、ポイント会社Ｄのポイントアイコン２１Ｘからポイント会社ＡＣのポイントアイコン２１Ｙに矢印２９が表示されているときは、ポイント会社Ｄのポイント数１０００がポイント会社ＡＣにおいてはポイント数４０００に変換されるので、このポイント数４０００がポイント会社ＡＣの加算前のポイント数１０００に加算されることを示している。
【００５１】
このように、交換可能ポイント会社検索表示画面５０は、選択されたポイントアイコン２１Ｘと交換可能なポイントアイコン２１Ｙを視覚的にわかりやすく表示するとともに、ポイントアイコン２１Ｘからポイントアイコン２１Ｙにポイント交換した場合におけるポイントアイコン２１Ｙの交換後のポイント数を表示するので、利用者３は交換先のポイント会社及び交換後のポイント数を一覧画面において容易に把握することができる。
【００５２】
図１１は、交換可能ポイント会社検索表示画面５０の表示動作を説明するフローチャートである。
【００５３】
情報提供サーバ１０は、交換可能ポイント会社検索表示画面５０の初期画面を利用者端末５に表示する（ステップＳ１６１）。ここで、交換可能ポイント会社検索表示画面５０の初期画面とは、ポイントアイコン２１Ｘ、２１Ｙ、及び２１Ｚの外観を識別可能に区別して表示するともに、矢印２９はまだ表示されていない画面である。
【００５４】
次いで、情報提供サーバ１０は、交換可能なポイントアイコン２１Ｙを１つ、矢印２９の先のアイコンとして選択し（ステップＳ１６２）、交換元となるポイントアイコン２１Ｘから選択したポイントアイコン２１Ｙに対して矢印２９を表示するとともに（ステップＳ１６３）、矢印２９の先のポイントアイコン２１Ｙに加算されるポイントを表示する（ステップＳ１６４）。なお、ステップＳ１６４では、ポイント表示とともに、メッセージボード２３（図９参照）にポイント交換における注意事項などを表示する。例えば、ポイント会社Ｄのポイントアイコン２１Ｘからポイント会社ＡＣのポイントアイコン２１Ｙに矢印２９が表示されているときには、ポイント会社Ｄからポイント会社ＡＣへのポイント交換に関する注意事項などが表示される。
【００５５】
次いで、情報提供サーバ１０は、すべての交換可能なポイントアイコン２１Ｙを矢印２９の先のアイコンとして選択したか否かを判定する（ステップＳ１６５）。すべての交換可能なポイントアイコン２１Ｙを矢印２９の先のアイコンとして選択したときは（ステップＳ１６５：ＹＥＳ）、処理を終了し、そうでないときは（ステップＳ１６５：ＮＯ）、次の交換可能なポイントアイコン２１Ｙを１つ、矢印２９の先のアイコンとして選択し（ステップＳ１６６）、ステップＳ１６３〜Ｓ１６４の処理を繰り返す。
【００５６】
このように本実施形態の交換可能ポイント会社検索処理は、選択したポイント会社と交換可能なポイント会社及び交換した場合のポイント数を動的に表示するので、利用者３は交換先のポイント会社及び交換後のポイント数を把握できることに加えて、ビジュアル的に楽しむことができる。
【００５７】
（集約可能ポイント会社検索処理）
次に、図４を参照して、集約可能ポイント会社検索処理について説明する。
【００５８】
利用者３が利用者端末５において、ポイント一覧表示画面２０を表示している状態で、いずれか１つのポイントアイコン２１を選択し（具体的には、矢印アイコン２８をクリックし）、選択したポイントアイコン２１の集約ボタン４３をクリックすることにより、情報提供サーバ１０に対して、集約可能ポイント会社検索処理の指示を行う（ステップＳ１７０）。
【００５９】
集約可能ポイント会社検索処理の指示を受けた情報提供サーバ１０は、ポイント交換情報記憶部１５を参照することにより、選択されたポイントアイコン２１（ポイント会社）にポイント集約可能なポイントアイコン２１（ポイント会社）を抽出し（ステップＳ１８０）、抽出した各ポイントアイコン２１（ポイント会社）それぞれのポイント数を、選択されたポイントアイコン２１（ポイント会社）に集約した場合の集約先のポイント数を計算する（ステップＳ１９０）。
【００６０】
次いで、情報提供サーバ１０は、抽出した集約元のポイントアイコン２１及び計算したポイント数に基づいて、検索表示画面情報を作成し（ステップＳ２００）、作成した検索表示画面情報を利用者端末５に出力する（ステップＳ２１０）。
【００６１】
利用者端末５は、検索表示画面情報を受け取ると、集約可能ポイント会社検索表示画面を表示する（ステップＳ２２０）。図１０に集約可能ポイント会社検索表示画面を示す。なお、図１０においては、便宜的に、集約元のポイントアイコン２１を２１Ｘ、集約先のポイントアイコン（選択されたポイントアイコン）２１を２１Ｙ、その他のポイントアイコン（集約に関係しないポイントアイコン）２１を２１Ｚと表記している。実際には、上述した３種類のポイントアイコン２１Ｘ、２１Ｙ、２１Ｚは、異なる色で識別可能に表示される（例えば、ポイントアイコン２１Ｘは、外観が赤色、ポイントアイコン２１Ｙは、外観が紺色、ポイントアイコン２１Ｚは外観が白色など）。
【００６２】
図１０に示す集約可能ポイント会社検索表示画面６０においては、各ポイントアイコン２１Ｘからポイントアイコン２１Ｙに対して順次、矢印２９が表示される。ポイント表示欄４１にポイント数を表示していたポイントアイコン２１Ｘは、矢印２９が表示されると、ポイントアイコン２１Ｙに加算されるポイントを加算表示欄４７に表示するとともに、矢印２９の先のポイントアイコン２１Ｙの集約表示欄４８に、加算表示欄４７に表示されたポイントを累積合算して表示する。例えば、具体的には、図１０において、ポイント会社Ｅのポイントアイコン２１Ｘからポイント会社Ｓのポイントアイコン２１Ｙに矢印２９が表示されているときは、ポイント会社Ｅのポイント数１０００がポイント会社Ｓにおいてはポイント数５０００に変換されるので、このポイント数５０００を累積合算したポイント数４１０００がポイント会社Ｅのポイント数１０００に加算されることを示している。
【００６３】
このように、集約可能ポイント会社検索表示画面６０は、選択されたポイントアイコン２１Ｙに集約可能なポイントアイコン２１Ｘを視覚的にわかりやすく表示するとともに、ポイントアイコン２１Ｘからポイントアイコン２１Ｙに集約した場合におけるポイントアイコン２１Ｙの集約後のポイント数を表示するので、利用者３は集約元のポイント会社及び集約後のポイント数を一覧画面において容易に把握することができる。
【００６４】
図１２は、集約可能ポイント会社検索表示画面６０の表示動作を説明するフローチャートである。
【００６５】
情報提供サーバ１０は、集約可能ポイント会社検索表示画面６０の初期画面を利用者端末５に表示する（ステップＳ２２１）。ここで、集約可能ポイント会社検索表示画面６０の初期画面とは、ポイントアイコン２１Ｘ、２１Ｙ、及び２１Ｚの外観を識別可能に区別して表示するともに、矢印２９はまだ表示されていない画面である。
【００６６】
次いで、情報提供サーバ１０は、集約可能なポイントアイコン２１Ｘを１つ、矢印２９の元のアイコンとして選択し（ステップＳ２２２）、選択したポイントアイコン２１Ｘからポイントアイコン２１Ｙに対して矢印２９を表示するとともに（ステップＳ２２３）、ポイントアイコン２１Ｙに加算されるポイントを表示する（ステップＳ２２４）。なお、ステップＳ２２４では、ポイント表示とともに、メッセージボード２３（図１０参照）にポイント集約における注意事項などを表示する。例えば、ポイント会社Ｅのポイントアイコン２１Ｘからポイント会社Ｓのポイントアイコン２１Ｙに矢印２９が表示されているときには、ポイント会社Ｅからポイント会社Ｓへのポイント集約に関する注意事項などが表示される。
【００６７】
次いで、情報提供サーバ１０は、すべての集約可能なポイントアイコン２１Ｘを矢印２９の元のアイコンとして選択したか否かを判定する（ステップＳ２２５）。すべての集約可能なポイントアイコン２１Ｘを矢印２９の元のアイコンとして選択したときは（ステップＳ２２５：ＹＥＳ）、処理を終了し、そうでないときは（ステップＳ２２５：ＮＯ）、次の集約可能なポイントアイコン２１Ｘを１つ、矢印２９の元のアイコンとして選択し（ステップＳ２２６）、ステップＳ２２３〜Ｓ２２４の処理を繰り返す。
【００６８】
このように本実施形態の集約可能ポイント会社検索処理は、選択したポイント会社に集約可能なポイント会社及び集約した場合のポイント数を動的に表示するので、利用者３は集約元のポイント会社及び集約後のポイント数を把握できることに加えて、ビジュアル的に楽しむことができる。
【００６９】
（ポイントおまとめシミュレーション処理）
次に、図５を参照して、ポイントおまとめシミュレーション処理について説明する。
【００７０】
利用者３が利用者端末５において、ポイント一覧表示画面２０を表示している状態で、ポイントおまとめシミュレーションボタン２２（図６参照）をクリックすることにより、情報提供サーバ１０に対して、ポイントおまとめシミュレーション処理の指示を行う（ステップＳ３１０）。
【００７１】
ポイントおまとめシミュレーション処理の指示を受けた情報提供サーバ１０は、ポイント交換情報記憶部１５を参照することにより、予め定められた主要集約ポイントアイコン（ポイント会社）にポイント集約可能なポイントアイコン２１（ポイント会社）を抽出し（ステップＳ３２０）、抽出した各ポイントアイコン２１（ポイント会社）それぞれのポイントを、主要集約ポイントアイコン（ポイント会社）２１に集約した場合の主要集約ポイントアイコン（ポイント会社）２１におけるポイント数を計算する（ステップＳ３３０）。ここで、主要集約ポイントアイコン２１とは、利用者３がポイント集約する可能性が高いポイントアイコン２１であり、本実施形態では、予め６つのポイントアイコン２１を主要集約ポイントアイコン２１に設定してある。本実施形態では、主要集約ポイントアイコン２１を固定的に設定しているが、利用者３が主要集約ポイントアイコン２１を自由に設定できるような仕様としてもよい。
【００７２】
次いで、情報提供サーバ１０は、抽出した集約可能なポイントアイコン２１及び計算したポイントに基づいて、シミュレーション表示画面情報を作成し（ステップＳ３４０）、作成したシミュレーション表示画面情報を利用者端末５に出力する（ステップＳ３５０）。
【００７３】
利用者端末５は、シミュレーション表示画面情報を受け取ると、ポイントおまとめシミュレーション表示画面を表示する（ステップＳ３６０）。図１３にポイントおまとめシミュレーション表示画面７０を示す。なお、図１３においては、便宜的に、集約可能なポイントアイコンを２１、主要集約ポイントアイコンを７１と表記している。実際には、ポイントアイコン２１と主要集約ポイントアイコン７１は、異なる色で識別可能に表示される（例えば、ポイントアイコン２１は、外観が紺色、主要集約ポイントアイコン７１は、外観が橙色など）。
【００７４】
図１３に示すポイントおまとめシミュレーション表示画面７０は、主要集約ポイントアイコン７１の上に、当該主要集約ポイントアイコン７１に集約可能なポイントアイコン２１を、上方から落下させた後、載置して表示するようになっている。そして、ポイントアイコン２１の加算表示欄４９には、ポイントアイコン２１のポイント数を主要集約ポイントアイコン７１に集約する場合の加算ポイント数をそれぞれ表示するとともに、ポイントアイコン２１が落下するタイミングに合わせて、それぞれの加算ポイント数を累計合算したポイントを、主要集約ポイントアイコン７１の集約表示欄７２に表示するようになっている。なお、集約可能なポイントアイコン２１が１画面に表示しきれない場合（本実施形態では６以上の場合）は、スクロールボタン７３が表示され、スクロールボタン７３を操作することにより、ポイントアイコン２１は上下に移動して表示される。
【００７５】
このように、ポイントおまとめシミュレーション表示画面７０は、自分の保有するポイントを主要集約ポイントアイコン７１に一括して集約した場合のポイントを動的に一覧表示するので、利用者３は複数の主要集約ポイント会社に一括集約した場合のシミュレーション結果を容易に把握できることに加えて、ビジュアル的に楽しむことができる。
【００７６】
以上述べたように、本実施形態の情報提供システム１００によれば、アカウント・アグリケーションサービスを利用して取得したポイント情報を一覧形式に編集して、編集したポイント一覧情報を利用者に提供するので、アカウント・アグリケーションサービスを利用して、ユーザが保有する複数機関のポイント情報を視覚的に容易に把握することができる。
【００７７】
また、本実施形態の情報提供システム１００によれば、ユーザが保有するポイント情報の集約や交換に関して種々のシミュレーションを行うことができるので、ポイント情報の使い方についてユーザに多様な利用方法を提示することができる。
【００７８】
以上、本発明の実施の形態について説明してきたが、本発明は、上述した実施の形態に限られるものではなく、本発明の要旨を逸脱しない範囲において、本発明の実施の形態に対して種々の変形や変更を施すことができ、そのような変形や変更を伴うものもまた、本発明の技術的範囲に含まれるものである。また、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【図面の簡単な説明】
【００７９】
【図１】本発明の実施形態に係る情報提供システムの概略構成図である。
【図２】本発明の実施形態に係る情報提供システムにおける認証情報、ポイント情報、及びポイント換算情報のデータ構成例を示す図である。
【図３】本発明の実施形態に係る情報提供システムのスクレイピング処理及びポイント一覧表示処理の流れを示すフローチャートである。
【図４】本発明の実施形態に係る情報提供システムの交換可能ポイント会社検索処理及び集約可能ポイント会社検索処理の流れを示すフローチャートである。
【図５】本発明の実施形態に係る情報提供システムのポイントおまかせシミュレーション処理の流れを示すフローチャートである。
【図６】本発明の実施形態に係る情報提供システムにおけるポイント一覧表示画面を示す図である。
【図７】図６のポイント一覧表示画面におけるポイントアイコンの動作を示すフローチャートである。
【図８】本発明の実施形態に係る情報提供システムにおいてポイントアイコンが回転したときの表示態様を示す図である。
【図９】本発明の実施形態に係る情報提供システムの交換可能ポイント会社検索表示画面を示す図である。
【図１０】本発明の実施形態に係る情報提供システムの集約可能ポイント会社検索表示画面を示す図である。
【図１１】図９の交換可能ポイント会社検索表示画面の表示動作を示すフローチャートである。
【図１２】図１０の集約可能ポイント会社検索表示画面の表示動作を示すフローチャートである。
【図１３】本発明の実施形態に係る情報提供システムのポイントおまとめシミュレーション表示画面を示す図である。
【符号の説明】
【００８０】
１  情報提供サーバ
２  サイト群
３  利用者
４  通信ネットワーク
５  利用者端末
１０  情報提供サーバ
１１  認証情報記憶部
１２  スクレイピング処理部
１３  ポイント情報記憶部
１４  ポイント交換情報記憶部
１５  全体制御部
１００  情報提供システム
ｆ１  ポイント一覧情報表示機能
ｆ２  ポイント試算機能
ｄ１０  認証情報
ｄ２０  ポイント情報
ｄ３０  ポイント交換情報
【図１】
2009223488.tif 000003
【図２】
2009223488.tif 000004
【図３】
2009223488.tif 000005
【図４】
2009223488.tif 000006
【図５】
2009223488.tif 000007
【図６】
2009223488.tif 000008
【図７】
2009223488.tif 000009
【図８】
2009223488.tif 000010
【図９】
2009223488.tif 000011
【図１０】
2009223488.tif 000012
【図１１】
2009223488.tif 000013
【図１２】
2009223488.tif 000014
【図１３】
2009223488.tif 000015